(57)【要約】不動な部分と、可動な機構とを備えた、特に車両シートへのチャイルドシートの据付けを検出するための装置が提供される。本発明による装置では、不動な部分が、２つの切換状態を備えた切換エレメントと、該切換エレメントのための作動界を形成するための手段とを有しており、可動な機構が、チャイルドシートの据付けによって第１の位置から第２の位置に運動可能であり、これによって、作動界に影響を与えることが達成可能であり、これによって、切換エレメントが、切換状態を変化させるようになっている。
2004504984.tif 000002
【特許請求の範囲】
【請求項１】
不動な部分（１，１１，１２）と、可動な機構（２，３）とを備えた、特に車両シート（１００）へのチャイルドシート（２００）の据付けを検出するための装置において、
不動な部分（１，１１，１２）が、２つの切換状態を備えた切換エレメント（８）と、該切換エレメント（８）のための作動界（Ｂ）を形成するための手段（５）とを有しており、
可動な機構（２，３）が、チャイルドシート（２００）の据付けによって第１の位置（Ｐ１）から第２の位置（Ｐ２）に運動可能であり、これによって、作動界（Ｂ）に影響を与えることが達成可能であり、これによって、切換エレメント（８）が、切換状態を変化させるようになっている
ことを特徴とする、チャイルドシートの据付けを検出するための装置。
【請求項２】
界（Ｂ）が磁界であり、切換エレメント（８）が磁気切換エレメントである、請求項１記載の装置。
【請求項３】
界（Ｂ）に影響を与えるために遮蔽手段（３）、特に軟鉄から成る薄板が設けられており、該遮蔽手段（３）が、第１の位置（Ｐ１）で切換エレメント（８）と形成手段（５）との間の領域（９）に位置していて、第２の位置（Ｐ２）で少なくとも部分的に領域（９）の外部に位置している、請求項１または２記載の装置。
【請求項４】
切換エレメント（８）が、リードスイッチまたはホールセンサを有している、請求項１から３までのいずれか１項記載の装置。
【請求項５】
界（Ｂ）が電磁界であり、切換エレメント（８）が、放射線検出器を有している、請求項１記載の装置。
【請求項６】
可動な機構（２，３）を第１の位置（Ｐ１）に戻すための手段（４）が設けられている、請求項１から５までのいずれか１項記載の装置。
【請求項７】
可動な機構（２，３）が、不動な部分（１，１１，１２）に回動点（７）を中心として回動可能に支承されており、遮蔽手段（３）が、可動な機構（２，３）に固定されている、請求項３から６までのいずれか１項記載の装置。
【請求項８】
遮蔽手段（３）が、少なくとも一方の側（３１）で成形されていて、これによって、第１の位置（Ｐ１）で磁石（５）の一方の極（６）を少なくとも部分的に取り囲んでいる、請求項３から７までのいずれか１項記載の装置。
【請求項９】
遮蔽手段（３）のフランク（３２）が、回動点（７）に向かって斜めに面取りされている、請求項３から８までのいずれか１項記載の装置。
【請求項１０】
不動な部分（１，１１，１２）が、下側に汚染物導出スリット（１３）を有しており、該汚染物導出スリット（１３）内に遮蔽手段（３）が少なくとも部分的に係合している、請求項３から９までのいずれか１項記載の装置。
【請求項１１】
戻し手段（４）が、ねじりコイルばねを有しており、該ねじりコイルばねが、可動な機構（２，３）と共に同軸的に配置されている、請求項６から１０までのいずれか１項記載の装置。
【請求項１２】
可動な機構（２，３）が、回動可能な部分（２）と、移動可能な部分（３）とを有しており、回動可能な部分（２）が、回動点（７）を中心として回動可能に不動な部分（１，１１，１２）に支承されており、移動可能な部分が、遮蔽手段（３）を有しており、移動可能な部分（３）が、回動可能な部分（２）に位置するカム（２１）によって第１の位置（Ｐ１）から第２の位置（Ｐ２）に移動可能である、請求項３から６までのいずれか１項記載の装置。
【請求項１３】
戻し手段（４）が、移動可能な部分（３）に作用している湾曲ばねおよび／または回動可能な部分（２）と共に同軸的に配置されていて、該部分（２）に作用しているねじりコイルばねを有している、請求項６または１２記載の装置。
【請求項１４】
不動な部分（１，１１，１２）が、２つのハウジング半部（１１，１２）を有しており、両ハウジング半部（１１，１２）を互いに半径方向で位置決めするために、有利には、幾つかの位置決めピン（１６）と、対応配置された開口（１７）とが設けられている、請求項１から１３までのいずれか１項記載の装置。
【請求項１５】
両ハウジング半部（１１，１２）が、互いにハウジング半部（１１，１２）の軸方向の誤差補償のために、押退け突起（１５）を有している、請求項１から１４までのいずれか１項記載の装置。
【請求項１６】
磁気切換エレメント（８）が、エアバッグ制御装置に対する信号を切り換えるために設計されている、請求項１から１５までのいずれか１項記載の装置。
【請求項１７】
可動な機構（２，３）が、レバー（１０）を介してチャイルドシート（２００）の拘束装置（２１０）によって運動可能である、請求項１から１６までのいずれか１項記載の装置。
【請求項１８】
当該装置が、車両シート（１００）に設けられた、特にＩＳＯ１３２１６−１による横桁（１１０）に固定するための手段（１９）を有している、請求項１から１７までのいずれか１項記載の装置。
【請求項１９】
請求項１から１８までのいずれか１項記載の少なくとも１つの装置を備えた車両シート（１００）。
【発明の詳細な説明】
【０００１】
本発明は、請求項１に記載した形式の、チャイルドシートの据付けを検出するための装置に関する。
【０００２】
助手席側または後部にエアバッグを備えた車両には、そこにチャイルドシートが据え付けられている場合にエアバッグの作動によって、チャイルドシート内にいる子供が怪我する恐れがあるという問題がある。したがって、該当する車両シートへのチャイルドシートの据付けを自動的に検出することが望ましい。
【０００３】
発明の利点
本発明によれば、不動な部分と、可動な機構とを備えた、特に車両シートへのチャイルドシートの据付けを検出するための装置が提供される。本発明による装置では、不動な部分が、２つの切換状態を備えた切換エレメントと、該切換エレメントのための作動界を形成するための手段とを有しており、可動な機構が、チャイルドシートの据付けによって第１の位置から第２の位置に運動可能であり、これによって、作動界に影響を与えることが達成可能であり、これによって、切換エレメントが、切換状態を変化させるようになっている。
【０００４】
本発明による装置は、切換エレメントを可動な機構によって確実に作動させることができるという利点を有している。この場合、可動な機構はかなり単純に形成されている。特に界形成手段と切換エレメントとは不動な部分に配置されていて、したがって、確実にかつ簡単に向かい合わせに固定することができ、運転中には運動にさらされていない。切換エレメントによって、運転者にチャイルドシートの据付けを思い出させる信号または該当するエアバッグが作動させられない情報をエアバッグ制御装置に供給する信号を切り換えることができる。
【０００５】
特に有利な構成では、界が磁界であり、切換エレメントが磁気切換エレメントである。磁界は永久磁石によって特に簡単に、すなわち、その都度のエネルギ供給なしに発生させることができる。また、切換動作も磁気スイッチの使用によって特に迅速となると同時に確実となる。
【０００６】
作動磁界に影響を与えるために遮蔽手段、特に軟鉄から成る薄板が設けられており、該遮蔽手段が、第１の位置で磁気切換エレメントと磁石との間の領域に位置していて、第２の位置で少なくとも部分的に領域の外部に位置していると有利である。遮蔽手段は第１の位置で作動磁界を短絡させている。このためには、導磁性に基づき、軟鉄から成る薄板が特に適している。作動磁界のための遮蔽手段は、磁気スイッチの特に簡単なかつ確実な形式の作動を実現している。
【０００７】
磁気切換エレメントは、いわゆる「リードスイッチ」を有することができる。ホールセンサによる有利な構成も可能である。
【０００８】
択一的には、作動界が、たとえば光源によって発生させられる電磁界であってもよい。この場合、切換エレメントが、放射線検出器、たとえば光学素子を有している。
【０００９】
チャイルドシートが取り外されている場合にスイッチを再びその出発切換位置に戻すためには、可動な機構を第１の位置に戻すための手段が設けられていてよい。
【００１０】
本発明による変化形では、可動な機構が、不動な部分に回動点を中心として回動可能に支承されており、遮蔽手段が、可動な機構に固定されている。この変化形では、チャイルドシートが据え付けられる場合に遮蔽手段が、磁気スイッチの作動磁界を遮蔽する第１の位置から、作動磁界を少なくとも部分的に解放する第２の位置に旋回させられる。
【００１１】
本発明の変化形では、特に有効な遮蔽を達成するために、遮蔽手段が、少なくとも一方の側で成形されていてよく、これによって、第１の位置で磁石の一方の極を少なくとも部分的に取り囲んでいる。
【００１２】
遮蔽手段のフランクが、回動点に向かって斜めに面取りされていると、磁気スイッチの特に正確な切換を達成することができる。
【００１３】
さらに、不動な部分が、下側に汚染物導出スリットを有しており、該汚染物導出スリット内に遮蔽手段が少なくとも部分的に係合していると有利である。つまり、この場合、時間の経過につれて装置内に侵入しかつ下面に集まった汚染物を、運動する遮蔽薄板によって装置から搬出することができる。
【００１４】
第１の変化形では、戻し手段が、ねじりコイルばねを有していてよく、該ねじりコイルばねが、可動な機構と共に同軸的に配置されている。
【００１５】
別の変化形では、可動な機構が、回動可能な部分と、移動可能な部分とを有しており、回動可能な部分が、回動点を中心として回動可能に不動な部分に支承されており、移動可能な部分が、遮蔽手段を有しており、移動可能な部分が、回動可能な部分に位置するカムによって第１の位置から第２の位置に移動可能である。この変化形は、特に空間を節約して実現することができる。
【００１６】
本発明の変化形では、戻し手段が、移動可能な部分に作用している湾曲ばねおよび／または回動可能な部分と共に同軸的に配置されていて、該部分に作用しているねじりコイルばねを有していてよい。
【００１７】
本発明の変化形では、不動な部分が、２つのハウジング半部を有しており、両ハウジング半部を互いに半径方向で位置決めするために、有利には、幾つかの位置決めピンと、対応配置された開口とが設けられている。
【００１８】
さらに、両ハウジング半部が、互いにハウジング半部の軸方向の位置決めのために、押退け突起と、対応配置された開口とを有していてよい。
【００１９】
本発明による有利な構成では、磁気切換エレメントが、エアバッグ制御装置に対する信号を切り換えるために設計されていてよい。これによって、チャイルドシート据付けの検出の場合のエアバッグ制御装置の自動的な遮断を実現することができる。
【００２０】
可動な機構が、レバーを有しており、該レバーが、チャイルドシートの拘束装置によって運動可能であると特に有利である。このような形式の拘束装置は、規定されたチャイルドシートにいずれにせよ存在しているので、このようなチャイルドシートの変更は不要である。
【００２１】
車両シートに設けられた、特にＩＳＯ１３２１６−１（「ＩＳＯＦｉｘ」）による横桁に固定するための手段が設けられていても有利である。
【００２２】
さらに、本発明は、前述した少なくとも１つの検出装置を備えた車両シートを含んでいる。
【００２３】
以下に、本発明の２つの実施例を図面につき詳しく説明する。
【００２４】
図１Ａの斜視図には、不動な部分１のハウジング半部１２が取り除かれた場合の本発明による第１の構成が示してある。遮蔽手段３とレバー１０とを備えた可動な機構２，３は第１のハウジング半部１１に配置されていて、回動点７で回動可能に支承されており、第１の位置Ｐ１に位置している。この第１の位置Ｐ１には遮蔽手段３、つまり、磁石５と磁気切換エレメント８（図１Ｂ参照）との間の領域９に設けられた、軟鉄から成る薄板が位置していて、したがって、作動磁界Ｂを遮蔽しているので、磁気切換エレメント８は磁石５の磁界Ｂによって貫通されない。磁気切換エレメント８の切換状態は、「チャイルドシートが据え付けられていない」状況に相当している。磁気切換エレメント８としてリードスイッチが使用される。
【００２５】
図２の斜視図には、可動な機構２，３が第２の位置Ｐ２で示してある。この場合、遮蔽薄板３は、ここではねじりコイルばねとして形成された戻し手段４の戻し力に抗して、磁石５と磁気切換エレメント８との間の領域９から離れる方向に旋回させられている。ねじりコイルばね４は可動な機構２，３に対して同軸的に配置されている。レバー１０の最大の変位は、ハウジング半部１１に設けられたストッパによって制限される。したがって、磁界Ｂが磁気切換エレメント８を貫通することができる。これによって、磁気切換エレメント８がその切換状態を変化させる。これによって、電気信号が切り換えられる。この電気信号は、「チャイルドシートが据え付けられている」状況に相当している。
【００２６】
図３には、第１の構成による検出装置のさらなる詳細が示してある。この図は、図１Ａに示した位置Ｐ１における断面図を示しているものの、裏側から見た図である。背景にはハウジング半部１２が位置している。遮蔽薄板３は一方の端面側３１で（図平面で見て）背後に向かって曲げ返されているので、遮蔽薄板３は位置Ｐ１で磁石５の一方の極６を取り囲んでいる。これによって、磁界Ｂの特に有効な遮蔽が達成される。磁気切換エレメント８が遮蔽薄板３の離反旋回時に特に正確に切り換わるように、遮蔽薄板３の後方のフランク３２は回動点７に向かって斜めに面取りされている。
【００２７】
両ハウジング半部１１，１２の間では下側にスリット１３が設けられている。このスリット１３によって、ハウジング内に侵入した汚染物が導出される。清浄化効果は、遮蔽薄板３が１つのコーナ３３でスリット１３内に係合していて、両位置Ｐ１，Ｐ２の間での運動時にスリット１３内でこのスリット１３に沿って走行することによって一層増強される。
【００２８】
図４には、第１の構成の可動な機構２，３，１０が背面図で示してある。遮蔽薄板３の側３１は前方（図平面に対して手前）に折り曲げられている。
【００２９】
図５に示した下方から見た外面図にはスリット１３が示してある。さらに、電気的な接続部４０が設けられている。この接続部４０を介して磁気切換エレメント８はエアバッグ制御装置に接続されている。
【００３０】
説明した本発明の第１の構成では、レバー１０を介して、可動な機構２，３が回動させられる。これによって、遮蔽薄板３が作動磁界Ｂから離れる方向に旋回させられる。
【００３１】
図６に示した本発明の第２の構成では、可動な機構２，３が、回動可能な部分２と、移動可能な部分３とを有している。回動可能な部分２はレバー１０とカム２１とを有している。このカム２１は遮蔽薄板３に作用している。この遮蔽薄板３は移動可能な部分３に支承されている。すなわち、レバー１０の回動運動が遮蔽薄板３の並進運動に変換される。休止位置では、遮蔽薄板３が湾曲ばね（Ｂｕｅｇｅｌｆｅｄｅｒ）４によって磁石５と磁気スイッチ８との間の領域９に押圧される。付加的には、ここでも、回動可能な部分２のための戻し手段４としてねじりコイルばねが設けられている。
【００３２】
レバー１０による変位時には、遮蔽薄板３がばね応力に抗して位置Ｐ１から下向きで作動磁界から位置Ｐ２に押圧される。
【００３３】
カム２１は制御カム２２を有している。この制御カム２２は、磁気切換エレメント８の特に迅速な切換を保証している。
【００３４】
両構成に対して、ハウジングは、両ハウジング半部１１，１２の簡単な係止によって形成することができるように設計されている。このためには、係止手段１８，１９（図１Ａおよび図３参照）が設けられている。両ハウジング半部１１，１２を互いに半径方向で位置決めするためには、幾つかの位置決めピン１６と、対応配置された開口１７とが設けられている。図７によれば、位置決めピン１６はそれぞれやや円錐形（約３〜５゜）に延びている。ハウジング半部１１，１２を互いに軸方向で位置決めするためには、押退け突起１５が設けられている。この押退け突起１５は両ハウジング半部１１，１２の誤差補償のために働く。検出器は誤差に関して、０．５ｍｍよりも大きい汚染粒子が上方または側方からハウジング内部に侵入することができないように設計されている。
【００３５】
本発明による検出装置は車両シート内に組み込むことができる。規格ＩＳＯ（国際標準化機構）１３２１６−１（「ＩＳＯＦｉｘ」）によれば、シートは背もたれと着座面との間に横桁を有している。この横桁には、チャイルドシート２００のためのＵ字形の一対の固定部材が位置している。本発明による検出装置は対を成して固定装置１９によって同じくＵ字形の固定部材に固定されている。
【００３６】
図８には、本発明による検出装置の機能原理がまとめてある。チャイルドシート２００が一対の拘束装置２１０によってＵ字形の固定部材内に押し込まれると、本発明による検出装置のレバー１０ひいては可動な機構２，３の残りの部分も第２の位置に運動させられるので、界変化に基づき磁気切換エレメント８がその切換状態を変化させる。これによって、エアバッグ作動装置を作動させない情報をエアバッグ制御装置に付与する信号を切り換えることができる。磁気切換エレメント８の回路は、図面に両抵抗Ｒ１，Ｒ２によって示したように実現することができる。
【００３７】
検出装置は対を成して設けられているので、検出動作を過剰に実施することができる。これによって、確実性ひいてはチャイルドシート内の子供の安全性が十分に高められる。
【００３８】
検出装置はチャイルドシート２００のためのＵ字形の固定部材に取り付けられているので、チャイルドシートおよび車両シートに対する付加的な安全対策を省略することができる。これによって、本発明の特に廉価な組換えが可能となる。
【００３９】
磁界に影響を与えることは遮蔽の事例に限定されるものではない。予め規定された別の磁気特性を備えた材料によって影響を与えることが可能である。
【００４０】
また、ホールセンサが切換エレメント８に使用されてもよい。別の形式の作動界Ｂは電磁界を有している。この場合、この電磁界は切換エレメント８としての相応のセンサに作用する。光源を備えた構成はライトバリヤの原理に基づき機能する。
【００４１】
さらに、本発明は、チャイルドシート据付けの検出にのみ限定されるものではない。さらに、規定された位置でのシート配置またはその他の組込み部材が検出される至るところにも検出装置を使用することが可能である。
【図面の簡単な説明】
【図１Ａ】
第１の構成の部分図である。
【図１Ｂ】
磁気切換エレメントを示す図である。
【図２】
第１の構成の部分図である。
【図３】
第１の構成の断面図である。
【図４】
第１の構成の可動な機構を示す図である。
【図５】
第１の構成によるハウジングを下方から見た外面図である。
【図６】
第２の構成の断面図である。
【図７】
ハウジングの詳細図である。
【図８】
機能原理の概略図である。
【符号の説明】
１　不動な部分、　２　可動な機構、　３　遮蔽薄板、　４　戻し手段、　５　磁石、　６　極、　７　回動点、　８　磁気切換エレメント、　９　領域、　１０　レバー、　１１　ハウジング半部、　１２　ハウジング半部、　１３　スリット、　１５　押退け突起、　１６　位置決めピン、　１７　開口、　１８　係止手段、　１９　係止手段、　２１　カム、　２２　制御カム、　３１　端面側、　３２　フランク、　３３　コーナ、　４０　接続部、　１００　車両シート、　１１０　横桁、　２００　チャイルドシート、　２１０　拘束装置、　Ｂ　作動磁界、　Ｐ１　位置、　Ｐ２　位置、　Ｒ１　抵抗、　Ｒ２　抵抗
【国際公開パンフレット】
2004504984.tif 000003
2004504984.tif 000004
2004504984.tif 000005
2004504984.tif 000006
2004504984.tif 000007
2004504984.tif 000008
2004504984.tif 000009
2004504984.tif 000010
2004504984.tif 000011
2004504984.tif 000012
2004504984.tif 000013
2004504984.tif 000014
2004504984.tif 000015
2004504984.tif 000016
2004504984.tif 000017
2004504984.tif 000018
2004504984.tif 000019
2004504984.tif 000020
2004504984.tif 000021
2004504984.tif 000022
2004504984.tif 000023
2004504984.tif 000024
【国際調査報告】
2004504984.tif 000025
2004504984.tif 000026
2004504984.tif 000027
2004504984.tif 000028
2004504984.tif 000029
2004504984.tif 000030